(57)【要約】【課題】  凹凸嵌合により接続されるパネルで形成される壁であっても容易にサッシを施工することができるサッシの取付構造を提供する。【解決手段】  凹凸嵌合により接続される複数枚のパネル１、１…で形成された壁２にサッシＡを取り付けるサッシの取付構造に関する。壁下地３に第１の嵌着部材４を設けると共に第１の嵌着部材４にパネル１の嵌合凹部５を嵌合することによってパネル１を壁下地３に取り付ける。上記第１の嵌着部材４と間隔を介して他のパネル１を壁下地３取り付けると共にこのパネルの嵌合凸部７に第２の嵌着部材６を配設することによって、第１の嵌着部材４と第２の嵌着部材６の間に開口部８を形成する。開口部８の内方に向かって突出する取付片９を第１の嵌着部材４及び第２の嵌着部材６に設けると共にサッシＡの外周部に突設された固定片１０を取付片９に固定する。【選択図】  図１
2005030104.tif 000002
【特許請求の範囲】
【請求項１】
凹凸嵌合により接続される複数枚のパネルで形成された壁にサッシを取り付けるにあたって、壁下地に第１の嵌着部材を設けると共に第１の嵌着部材にパネルの嵌合凹部を嵌合することによってパネルを壁下地に取り付け、上記パネルと間隔を介して他のパネルを壁下地に取り付けると共にこのパネルの嵌合凸部に第２の嵌着部材を配設することによって、第１の嵌着部材と第２の嵌着部材の間に開口部を形成し、開口部の内方に向かって突出する取付片を第１の嵌着部材及び第２の嵌着部材に設けると共にサッシの外周部に突設された固定片を取付片に固定して成ることを特徴とするサッシの取付構造。
【発明の詳細な説明】
【技術分野】
【０００１】
本発明は、ステンレス鋼やアルミニウムなどで形成されるサッシの取付構造に関するものである。
【背景技術】
【０００２】
サッシ枠とその内側に嵌合されたサッシ扉体とからなるサッシは、壁に屋内外方向に貫通する開口部を形成すると共にこの開口部にサッシを嵌め込んで固定することによって施工されていた（例えば、特許文献１参照）。
【０００３】
しかし、凹凸嵌合により接続される複数枚のパネルで壁を形成する場合、壁の開口部は隣り合う二枚のパネルを接続せずに所定の間隔を開けて配置することによって形成されるものであり、従って、開口部にパネルの嵌合凹部や嵌合凸部が臨むことになって開口部にサッシが取り付けにくいという問題があった。
【特許文献１】特開平９−２９６６５６号公報（特許請求の範囲等）
【発明の開示】
【発明が解決しようとする課題】
【０００４】
本発明は上記の点に鑑みてなされたものであり、凹凸嵌合により接続されるパネルで形成される壁であっても容易にサッシを施工することができるサッシの取付構造を提供することを目的とするものである。
【課題を解決するための手段】
【０００５】
本発明の請求項１に係るサッシの取付構造は、凹凸嵌合により接続される複数枚のパネル１、１…で形成された壁２にサッシＡを取り付けるにあたって、壁下地３に第１の嵌着部材４を設けると共に第１の嵌着部材４にパネル１の嵌合凹部５を嵌合することによってパネル１を壁下地３に取り付け、上記パネル１と間隔を介して他のパネル１を壁下地３に取り付けると共にこのパネルの嵌合凸部７に第２の嵌着部材６を配設することによって、第１の嵌着部材４と第２の嵌着部材６の間に開口部８を形成し、開口部８の内方に向かって突出する取付片９を第１の嵌着部材４及び第２の嵌着部材６に設けると共にサッシＡの外周部に突設された固定片１０を取付片９に固定して成ることを特徴とするものである。
【０００６】
本発明は上記の構成により、開口部８に臨む嵌合凹部５と嵌合凸部７とを第１の嵌着部材４及び第２の嵌着部材６でカバーすることができると共に第１の嵌着部材４及び第２の嵌着部材６に設けた取付片９にサッシＡの固定片１０を固定することができ、嵌合凹部５と嵌合凸部７とを有するパネル１に直接サッシＡを取り付けることがなくなって、凹凸嵌合により接続されるパネル１で形成される壁２であっても容易にサッシＡを施工することができるものである。
【発明を実施するための最良の形態】
【０００７】
以下、本発明を実施するための最良の形態を説明する。
【０００８】
図１、２に本発明の実施の形態の一例を示す。本発明において、建物の壁２は複数枚のパネル１を縦横に並べると共に各パネル１の屋内側面を壁下地３の屋外側面に固定することによって形成されるものである。パネル１としては二枚の金属板２２、２３の間に芯材２４を充填して形成されるサンドイッチパネルが用いられている。パネル１としては下端に嵌合凹部５を、上端に嵌合凸部７をそれぞれ設けたものを用いる。すなわち、パネル１としてはその下面に覆い片４０と挿入部４１とを突設したものを用いる。覆い片４０と挿入部４１とはパネル１の幅方向（図１において紙面と直交する方向）の略全長に亘って設けられるものであり、屋外側に設けられた覆い片４０と屋内側に設けられた挿入部４１との間の空間が嵌合凹部５として形成されている。また、パネル１としてはその上部の屋外側面に被覆凹部４２を、屋内側面に被挿入凹部４３を設けたものを用いる。被覆凹部４２と被挿入凹部４３とはパネル１の幅方向の略全長に亘って設けられるものであり、被覆凹部４２と被挿入凹部４３との間の部分が嵌合凸部７として形成されている。そして、縦方向（上下方向）に隣接するパネル１、１は嵌合凹部５と嵌合凸部７の凹凸嵌合により接続されるものである。さらに、パネル１としては両方の側端部に目地片２５を突設したものが用いられており、横方向（幅方向）に隣接するパネル１、１は目地片２５同士を対向あるいは当接して配置されるものである。上記の目地片２５はパネル１の表側の金属板２２の側端部を略全長に亘って折り曲げて断面略Ｌ字状に形成されているが、他の形状や他の加工方法で形成することもできる。
【０００９】
尚、上記のパネル１としてはサンドイッチパネルだけでなく、例えば、軽量コンクリートパネルや木板等であってもよい。また、パネル１の金属板２２、２３としては亜鉛めっき鋼板や塗装鋼板等を、芯材２４としてはロックウールやグラスウールなどの無機質材やウレタンフォームなどの樹脂発泡体などをそれぞれ例示することができるが、これらに限定されるものではなく、金属板２２、２３や芯材２４としては公知のものを用いることができる。
【００１０】
本発明において壁下地３は、縦方向に長い縦胴縁３１を横方向に複数本並べると共に横方向に長い横胴縁３２を縦方向に複数本並べることによって、格子状に形成されている。縦胴縁３１及び横胴縁３２としては例えばリップ付溝型鋼等の鋼材などを用いることができるが、これに限定されるものではなく、木製の柱や胴縁であってもよい。
【００１１】
本発明においてサッシＡは公知のものをそのまま使用することができ、ステンレス鋼やアルミニウムなどの金属で形成される略四角枠状のサッシ枠７０と、サッシ枠７０の内側に嵌合される板状のサッシ扉体７１とで形成されるものを用いることができる。サッシ枠７０の外周部である上面及び下面には幅方向であって、横胴縁３２の長手方向と平行な方向）の略全長に亘って固定片１０が突設されている。また、サッシ枠７０の側面（外側面）には一対の係止片７２が設けられている。一対の係止片７２は一方が屋外側、他方が屋内側に設けられており、互いに対向するように配置されている。サッシ扉体７１はサッシ枠７０内で移動可能（開閉可能）としてもよいし、移動不能（はめ殺し）としてもよく、さらに、サッシ扉体７１はガラス板を備えたものであってもよい。
【００１２】
本発明において、第１の嵌着部材４はステンレス鋼やアルミニウムなどの金属で長尺に形成されるものである。また、第１の嵌着部材４は略角筒状に形成されるが、その屋外側面には頭部収納凹部４７が設けられていると共に第１の嵌着部材４の屋内側部分には上面に開口する差し込み凹部４８が設けられている。
【００１３】
本発明において、第２の嵌着部材６はステンレス鋼やアルミニウムなどの金属で長尺に形成されるものである。また、第２の嵌着部材６は屋外側片６ａと屋内側片６ｂと結合片６ｃとで形成されるものであって、屋外側片６ａと屋内側片６ｂの上端間を結合片６ｃで結合することによって、下面が開口する断面略コ字状あるいは断面略Ｌ字状に形成されている。
【００１４】
そして、上記のサッシＡを取り付けるにあたっては次のようにして行う。まず、第１の嵌着部材４の下面及び第２の嵌着部材６の上面に取付具５０を取り付ける。取付具５０は長尺の金具などで形成されるものであって、取付片９と固着片５１とで断面略Ｌ字状に形成されている。そして、固着片５１をビス等の固定具で第１の嵌着部材４の下面及び第２の嵌着部材６の上面に固着することによって、第１の嵌着部材４の下面及び第２の嵌着部材６の上面から取付片９が略垂直に突出するように取付具５０を取り付けることができる。ここで、第１の嵌着部材４及び第２の嵌着部材６の屋内外方向における取付具５０の取付位置はサッシＡの見込み寸法に応じて適宜設定することができる。
【００１５】
次に、縦方向において隣り合う一対の横胴縁３２のうち、下側の横胴縁３２にパネル１を取り付ける。この時、下側の横胴縁３２の屋外側面にパネル１の上部の屋内側面を当接し、この状態でビス等の固定具５２をパネル１の被覆凹部４２から下側の横胴縁３２に打入することによって、下側の横胴縁３２にパネル１を取り付ける。また、打入した固定具５２の頭部は被覆凹部４２に設けた収納凹部５３に収納する。次に、下側の横胴縁３２に取り付けたパネル１の嵌合凸部７の全長に亘って、取付具５０を取り付けた第２の嵌着部材６を嵌め込んで取り付ける（嵌着する）。この時、第２の嵌着部材６の屋外側片６ａが被覆凹部４２に収納されると共に第２の嵌着部材６の屋内側片６ｂが被挿入凹部４３に収納される。また、被覆凹部４２に収納された屋外側片６ａで収納凹部５３に収納された固定具５２の頭部が覆い隠される。さらに、嵌合凸部７の上面と第２の嵌着部材６の結合片６ｃの下面との間にはパッキン６０が設けられる。
【００１６】
次に、縦方向において隣り合う一対の横胴縁３２のうち上側の横胴縁３２に、取付具５０を設けた第１の嵌着部材４を取り付ける。この時、上側の横胴縁３２の屋外側面に沿って第１の嵌着部材４の屋内側面を当接し、この状態でビス等の固定具５２を第１の嵌着部材４の屋外側面から上側の横胴縁３２に打入することによって、上側の横胴縁３２に第１の嵌着部材４を取り付ける。また、打入した固定具５２の頭部は第１の嵌着部材４の屋外側面に設けた頭部収納凹部４７に収納する。次に、上側の横胴縁３２に取り付けた第１の嵌着部材４に、下側の横胴縁３２に取り付けた上記のパネル１とは異なる他のパネル１の嵌合凹部５を嵌め込むことによって、このパネル１を第１の嵌着部材４の上側で横胴縁３２の屋外側に取り付ける。この時、パネル１の覆い片４０は第１の嵌着部材４の屋外側に配置されると共にパネル１の挿入部４１が差し込み凹部４８に差し込み収納される。また、頭部収納凹部４７に収納された固定具５２の頭部がパネル１の覆い片４０で覆い隠される。さらに、嵌合凹部５の底面と第１の嵌着部材４の上面との間にはパッキン６０が設けられる。
【００１７】
このようにして壁下地３の屋外側において二枚のパネル１、１を上下に対向させて配設することによって、上側のパネル１の下端と下側のパネル１の上端との間、すなわち上側のパネル１の嵌合凹部５と下側のパネル１の嵌合凸部７の間との間に屋内外方向に貫通する開口部８が形成され、また、第１の嵌着部材４及び第２の嵌着部材６から開口部８の内方（内側）に向かって取付片９が突出することになる。
【００１８】
次に、サッシＡを屋外側から開口部８に近づけて嵌め込むと共にサッシＡの固定片１０を開口部８に突出した取付片９に当接させる。次に、サッシＡの屋外側から固定片１０及び取付片９を貫通するようにしてビス等の固定具６１を打入することによって固定片１０を取付片９に固定する。尚、ここでは、サッシＡを屋外側から開口部８に近づけて嵌め込む場合を説明したが、サッシＡを屋内側から開口部８に近づけて嵌め込むようにしてもよい。
【００１９】
上記のようにしてサッシＡを開口部８に配設した後、サッシＡと上側のパネル１の覆い片４０との間及びサッシＡと第２の嵌着部材６との間にはシーリング材６５が全長に亘って設けられる。また、図２に示すように、サッシＡの側方にはパネル１が縦胴縁３１の屋外側面に取り付けられて配置されているが、このパネル１とサッシＡとの間にもシーリング材６５が全長に亘って設けられる。このようなシーリング材６５の屋内側にはプラスチック等で形成されるバックアップ材６６が配置されており、特に、パネル１の側端部においてはバックアップ材６６は目地片２５に支持されている。
【００２０】
さらに、連結具１１によりサッシＡを壁下地３に連結することができる。すなわち、図１に示すように、断面略Ｌ字状のピース状の金具（アングル）等で形成される連結具１１の一片１１ａをサッシＡの上部の屋内側面に、他片１１ｂを上側の横胴縁３２の下面にそれぞれビス等の固定具７３で固定することによって、サッシＡは上側の横胴縁３２に連結されるものである。また、上記と同様の連結具１１の一片１１ａをサッシＡの下部の屋内側面に、他片１１ｂを下側の横胴縁３２の上面にそれぞれ固定具７３で固定することによって、サッシＡは下側の横胴縁３２に連結されるものである。また、上記と同様の連結具１１の一片１１ａをサッシＡの側部の屋内側面に、他片１１ｂを縦胴縁３１にそれぞれ固定具７３で固定することによって、サッシＡは縦胴縁３１に連結されるものである。そして、これらの連結具１１によるサッシＡと横胴縁３２及び縦胴縁３１との連結により、サッシＡの取付強度を高めることができて負圧等に対する耐力を大きくすることができるものである。この後、サッシＡの屋内側に断面略Ｌ字状のピース状の金具（アングル）等で形成される額縁固定具６７を取り付けると共に額縁固定具６７に額縁６８を取り付ける。
【００２１】
そして、本発明では嵌合凹部５と嵌合凸部７とを有するパネル１に直接サッシＡを取り付けることがなくなって、凹凸嵌合により接続されるパネル１で形成される壁２であっても容易にサッシＡを施工することができるものである。
【００２２】
上記では、サッシＡの側部と縦胴縁３１とを連結具１１で連結する場合を説明したが、その他に、図３に示すように、サッシＡの側面に設けた係止片７２にピース状の金具（アングル）等で形成される結合具６３を係止すると共に縦胴縁３１の側面に突設した固定金具６４にサッシＡに設けた結合具６３を係止して溶接等で結合することによって、サッシＡを縦胴縁３１に固定して連結することができる。上記の固定金具６４及び結合具６３は縦方向に三箇所程度設けることができる。
【図面の簡単な説明】
【００２３】
【図１】本発明の実施の形態の一例を示す縦断面図である。
【図２】同上の一部の横断面図である。
【図３】同上の他例を示す一部の横断面図である。
【符号の説明】
【００２４】
１  パネル
２  壁
３  壁下地
４  第１の嵌着部材
５  嵌合凹部
６  第２の嵌着部材
７  嵌合凸部
８  開口部
９  取付片
１０  固定片
Ａ  サッシ
【図１】
2005030104.tif 000003
【図２】
2005030104.tif 000004
【図３】
2005030104.tif 000005